(57)【要約】      （修正有）【課題】従来の逆さぶら下がり健康具は、反転板上に上向きで寝た状態で足首を固定・保持した状態で体を逆さぶら下がり状態で傾斜させていく為に、骨格や内臓は一方向のみ重力が掛かり体内の移動で十分な効果が得られない。【解決手段】足首保持冶具ベース１に足の甲受け５を直角に配置する、該足の甲受けと並行にかつ多少「ハ」の字状に開口した形で、それぞれを１対として取り付けた足首保持冶具ベースに設けた軸挿入穴に軸７を貫通させ、該軸は足首保持冶具ベース貫通後にスペーサー８を通してバー中央に貫通して取り付ける、さらに該バー両端は１対のアーム１３端を支点として保持される、該アーム他端は支点でステー１８に保持される事で、保持した足首を体の位置に合わせ自由な位置に移動かつ回転することができる自由旋回足首保持冶具を提供する。【選択図】図１
2020168338.tif 000002
【特許請求の範囲】
【請求項１】
逆さぶら下がり健康具の座面に取り付けて使用する足首保持冶具であって、該逆さぶら下がり健康具に上向きに寝た状態で、足首を固定するための足首固定部０と、スペーサー８を介し前記足首保持部０をＸ平面に３６０度回転可能に支持するバー９と、前記バー９をＺ平面に３６０度回転可能に支持する左右一対のアーム１３から構成されることを特徴とする自由旋回足首保持冶具。
【請求項２】
請求項１記載の前記足首保持部０は、略直方体形状の足首保持冶具ベース１と、左右１対のかがと受け３と、左右１対の足の甲受け５から構成され、前記かがと受け３は前記足首保持冶具ベース１の左右両面の前方に直角に配置され、前記足の甲受け５は前記足首保持冶具ベース１の左右両面の後方に前記足のかがと受け３と並行から「ハ」の字に開いた形に配置され、前記足の甲受け５の近傍の前記足首保持具ベース１に軸７を通すための軸取り付け穴６が設けられていることを特徴とする請求項１に記載の自由旋回足首保持冶具。
【請求項３】
請求項２記載の前記軸取り付け穴６は、前記足首保持冶具ベース１の上面から下面に向かい、円形から楕円形へと徐々に広がる三角スリッド２３形状であることを特徴とする請求項２に記載の自由旋回足首保持冶具。
【請求項４】
請求項２記載の前記足首保持部０は、前記かがと受け３をかがと受け用被覆クッション材２１で被覆し、前期足の甲受け５を足の甲受け用クッション材２２で被覆したことを特徴とする請求項２または請求項３に記載の自由旋回足首保持冶具。
【発明の詳細な説明】
【技術分野】
【０００１】  本発明は逆さぶら下がり健康具等の器具に装着する自由旋回足首保持冶具に関する。
【背景技術】
【０００２】  身体を体重により傾斜した状態で牽伸することで、骨格の歪修正や血行促進、腰痛や足の関節痛の予防・治療等に使用する逆さぶら下がり健康具が種々開発されており、その中に特許文献１に示すような家庭でも気軽に使用できる人体屈曲用椅子が考案されている。
【先行技術文献】
【特許文献】
【０００３】
【特許文献１】特許第３６２１６１６号公報
【発明の概要】
【発明が解決しようとする課題】
【０００４】  しかしながら、特許文献１に記載の人体屈曲用椅子は、バンドを用いて足首を足載せ部に固定し、上向きに寝た状態で身体を傾斜させるため、一方向のみしか体重が掛からないため、十分な治療効果が得られない。【０００５】  本発明は、このような従来の問題を解決しようとするもので、上向きに寝た状態だけでなく、腹ばい、右向き、左向き等など様々な向きに姿勢が変えられる、逆さぶら下がり健康具に装着可能な自由旋回足首保持冶具を提供することを目的とするものである。
【課題を解決するための手段】
【０００６】  本発明は、逆さぶら下がり健康具の座面に取り付けて使用する足首保持冶具であって、
該逆さぶら下がり健康具に上向きに寝た状態で、足首を固定するための足首固定部０と、軸７と軸用ナット１１を用いてスペーサー８を介し前記足首保持部０をＸ平面に３６０度回転可能に支持するバー９と、支点Ａ用支持具１５を用いて前記バー９をＺ平面に３６０度回転可能に支持する左右一対のアーム１３から構成され、
前記足首保持部０は、略直方体形状の足首保持冶具ベース１と、左右１対のかがと受け３と、左右１対の足の甲受け５から構成され、前記かがと受け３は前記足首保持冶具ベース１の左右両面の前方中央よりやや上方付近に直角に配置され、前記足の甲受け５は前記足首保持冶具ベース１の左右両面の後方に前記足のかがと受け３と並行から「ハ」の字に開いた形に配置されており、前記足の甲受け５の近傍の前記足首保持具ベース１上面中央に、前記軸７を通すための軸取り付け穴６が下面に向けて垂直に設けられている。【０００７】  また、前記軸取り付け穴６は、前記足首保持冶具ベース１の上面から下面に向かい、円形から楕円形へと徐々に広がる三角スリッド２３形状になるように開けられている。【０００８】  さらに、前記足首保持部０のかがと受け３と足の甲受け５は、各々かがと受け用被覆クッション材２１と甲受け用被覆クッション材２２で被覆されている。
【発明の効果】
【０００９】  本発明の自由旋回足首保持冶具を逆さぶら下がり健康具の座面に取り付けて使用することによって、上向きに寝た状態だけでなく、腹ばい、右向き、左向き等など様々な姿勢で牽伸することが可能となり、有効な治療効果を得ることができる。
【図面の簡単な説明】
【００１０】
【図１】  本発明の分解斜視図
【図２】  本発明の足首保持具ベースＺ面図
【図３】  本発明の足首保持具ベースＸ面上面図
【図４】  本発明の足首保持具ベースＸ面下面図
【図５】  本発明の足首保持具ベースＹ面図
【図６】  本発明の全体正面図
【図７】  本発明の全体上面図
【図８】  本発明の全体折たたみ時側面図
【図９】  本発明の全体体伸ばし時側面図
【図１０】  本発明の足首保持具ベース回転時上面図
【図１１】  本発明の足首保持具ベースＡ−Ａ断面図
【発明を実施するための形態】
【００１１】  以下、本発明の実施の形態を図面に基づいて説明する。
【００１２】  図１に示す本発明の自由旋回足首保持冶具は、足首を固定するための足首保持部０、足首保持具０を支持するバー９、及びバー９を支持する左右一対のアームから構成され、逆さぶら下がり健康具の座面２０に一定角度で取り付けて使用する
【００１３】前記足首保持部０は、略直方体形状の足首保持冶具ベース１と、左右１対のかがと受け３と、左右１対の足の甲受け５から構成される。前記足首保持冶具ベース１の左右両面前方の中央よりやや上方付近にかがと受け取り付け穴２を直角に設け、ここに前記かがと受け３を取り付ける。また、前記足首保持冶ベース１の左右両面後方に前記足のかがと受け３と並行から「ハ」の字に足の甲受け取り付け穴４を設け、ここに前記足の甲受け５を取り付ける。さらに、前記足首保持冶具ベース１の足の甲受け５近傍の上面中央に直角に軸取り付け穴６を開け、この穴に軸７を通し、前記軸７にスペーサー８をかぶせ、バー９に設けた軸貫通穴１０を通して軸用ナット１１で多少の間隙を設けて保持する。
【００１４】  また、前記かがと受け３はかがと受け用被覆クッション材２１で被覆し、前記足の甲受け５はかがと受け用被覆クッション材２１で被覆する。
【００１５】  さらに、図１１の断面図に示すように、前記軸取り付け穴６は、Ｚ平面の直径を前記足首保持冶具ベース１の上面から下面に向かい徐々に大きくすることで、円形から楕円形へと徐々に広がる三角スリッド２３形状になるように開けている。
【００１６】  最後に、支点Ｂ用支持具１７を用いて前記アーム１３を逆さぶら下がり健康具のステー１８に回転可能に取り付けることで、前記軸７と支点Ａ用支持具１５と支点Ｂ用支持具１７の３点でリンク機構が出来上がり、前記足首保持部０が上下・左右３６０度回転可能として機能する。さらに、前記３角スリッド２３形状で前記軸７の首振り動作が容易になる。
【００１７】  次に、一例として、本発明の自由旋回足首保持冶具を特許文献１に記載の人体屈曲用椅子に取り付けた場合の逆さぶら下がり健康具としての効果について説明する。
【００１８】  本発明の自由旋回足首保持冶具のかがと受け３と足の甲受け５に足首を掛け、体を真っすぐに伸ばし、頭を下げた逆さぶら下がり状態で、上向き・腹ばい・左右横ばい等、通常取らない様々な姿勢に自由に変化させることができる。このため、骨格の歪修正、筋肉のストレッジのほか、血液・リンパ液の逆流や内臓刺激による体調不良部分へのストレッジなど、自然治癒力を向上させて未病の部分を解消することが可能になる。
【００１９】  また、軸取り付け穴６を足の甲受け５の近傍に配置したことで、足首の最小回転で体を自由に回転させることができ、さらに軸取り付け穴６の形状を三角スリッド２３にしたことで、軸７の首振り動作が容易となり、足首に掛かる負荷を和らげることができる。このため、ふくらはぎの筋肉を容易に動かすことができるようになり、第二の心臓と言われるふくらはぎ運動のポンプ作用により血液やリンパ液の循環を促し、体全体の体調を良くする。
【００２０】  さらに、足の甲受け５を「ハ」の字状に設け、かがと受け３と共にクッション材で被覆したことで、足首の太さの違いを吸収するとともに、逆さぶら下がり状態から上体を起こす際、腕力や腹筋力が不足で起き上れない場合でも、足を開くことで足首が簡単に外れるため、使用中の逆さぶら下がり健康具から容易に脱出することができる。
【産業上の利用可能性】
【００２１】  従来の逆さぶら下がり健康具の足首固定具として使用するほか、胃のレントゲン検査器具としても利用が可能であり、逆さま状態での撮影時に必死に横のバーを掴む必要がなく、体を楽に反転させることができる。
【符号の説明】
【００２２】０    足首保持部
１    足首保持具ベース
２    かがと受け取り付け穴
３    かがと受け
４    足の甲受け取り付け穴
５    足の甲受け
６    軸取り付け穴
７    軸
８    スペーサー
９    バー
１０  軸貫通穴
１１  軸用ナット
１２  バー支点Ａ用穴
１３  アーム
１４  アーム支点Ａ用穴
１５  支点Ａ用支持具
１６  アーム支点Ｂ用穴
１７  支点Ｂ用支持具
１８  ステー
１９  ステー支点Ｂ用穴
２０  座面
２１  かがと受け用被覆クッション材
２２  足の甲受け用被覆クッション材
２３  三角スリッド
２４  足首の３６０度回転
２５  バー部前後回転
２６  ステー部前後回転
２７  軸上部前後回転
【図１】
2020168338.tif 000003
【図２】
2020168338.tif 000004
【図３】
2020168338.tif 000005
【図４】
2020168338.tif 000006
【図５】
2020168338.tif 000007
【図６】
2020168338.tif 000008
【図７】
2020168338.tif 000009
【図８】
2020168338.tif 000010
【図９】
2020168338.tif 000011
【図１０】
2020168338.tif 000012
【図１１】
2020168338.tif 000013